(57)【要約】【課題】  コンピュータ入力ペンの転がりを抑える。【解決手段】  円筒ハウジング１２と錘２０とを備え、錘２０は円筒ハウジング１２内で、円筒ハウジング１２の長手方向軸に対して偏心して配設され、錘２０に対する円筒ハウジング１２の回転エネルギーを吸収するように、所望のレベルの摩擦で、円筒ハウジング１２に対して回転可能に連結させる。【選択図】      図2Ａ
2005293571.tif 000002
【特許請求の範囲】
【請求項１】
円筒ハウジングと、
錘とを備え、前記錘は、前記円筒ハウジング内で、前記円筒ハウジングの長手方向軸に対して偏心して配設され、前記錘に対する前記円筒ハウジングの回転エネルギーを吸収するように、所望のレベルの摩擦で、前記円筒ハウジングに対して回転可能に連結することを特徴とするコンピュータ入力ペン。
【請求項２】
前記錘の表面上に配設された摩擦部材をさらに備えることを特徴とする請求項１に記載のコンピュータ入力ペン。
【請求項３】
前記円筒ハウジングの内面上に配設された摩擦部材をさらに備えることを特徴とする請求項１に記載のコンピュータ入力ペン。
【請求項４】
前記錘は、前記長手方向軸に沿って延びる軸に回転可能に連結することを特徴とする請求項１に記載のコンピュータ入力ペン。
【請求項５】
前記軸と向かいあう前記錘の表面上に配設された摩擦部材をさらに備えることを特徴とする請求項４に記載のコンピュータ入力ペン。
【請求項６】
前記錘と向かいあう前記軸の表面上に配設された摩擦部材をさらに備えることを特徴とする請求項４に記載のコンピュータ入力ペン。
【請求項７】
前記錘の表面上に一体に形成された摩擦部材をさらに備えることを特徴とする請求項１に記載のコンピュータ入力ペン。
【請求項８】
前記円筒ハウジングの内面上に一体に形成された摩擦部材をさらに備えることを特徴とする請求項１に記載のコンピュータ入力ペン。
【発明の詳細な説明】
【技術分野】
【０００１】
本発明は、コンピュータ入力デバイスに関する。
【背景技術】
【０００２】
入力ペンおよび／またはスタイラスなどのコンピュータ入力デバイスは一般に、個人情報端末および他の型の手持ち式電子デバイス、ノートブックコンピュータ、タブレットパーソナルコンピュータ、および電子ホワイトボード装置などの電子装置に関連する入力操作のために用いられる。入力ペンは一般に、ペン収納エリアまたは電子デバイスに関連する区画内にペンを都合よく収納することを可能にするために、円筒形状を持って形成される。しかし、ペンが円筒形状であるために、ペンは、机または他のタイプの作業面から容易に転がり落ちる。ペンの転がりを減らすために、錘をペン内に配設して、偏心した重心をペンに与えることができる。
【発明の開示】
【発明が解決しようとする課題】
【０００３】
しかしながら、ユーザが、入力ペンを傾斜した、すなわち、勾配のある作業面上に置くか、または、入力ペンを作業面上に転がして載せる場合、ペン内の錘は一般に、ペンの連続した転がりを引き起こす推進力源になる。
【課題を解決するための手段】
【０００４】
本発明の一実施形態によれば、コンピュータ入力ペンは、円筒ハウジング、および、円筒ハウジング内で、円筒ハウジングの長手方向軸に対して偏心して配設された錘を備える。錘は、錘に対する円筒ハウジングの回転エネルギーを吸収するように、所望のレベルの摩擦で、円筒ハウジングに対して回転可能に連結する。
【０００５】
本発明の一実施形態によれば、コンピュータ入力ペンは、円筒ハウジング、および、円筒ハウジング内で、円筒ハウジングの長手方向軸に対して偏心して配設された錘を備える。錘はまた、円筒ハウジング内で可動に配設される。コンピュータ入力ペンはまた、錘と円筒ハウジングの間での運動を抑えるようになされた摩擦部材を備える。
【０００６】
本発明および本発明の利点のより完全な理解のために、ここで、添付図面に関連して行われる以下の説明を参照されたい。
【発明を実施するための最良の形態】
【０００７】
本発明の好ましい実施形態および本発明の利点は、図面のうちの図１〜図３を参照することによって最もよく理解され、同じ数字は、種々の図面の同一かつ対応する部分に用いられる。
【０００８】
図１は、本発明によるコンピュータ入力ペン１０の一実施形態を示す図である。コンピュータ入力ペン１０は、限定はしないが、個人情報端末および他の型の手持ち式電子デバイス、ノートブックコンピュータ、タブレットパーソナルコンピュータ、および電子白板デバイスなどの種々の異なる型の電子装置に関連する入力操作を行うための任意のペン型デバイスである。図１に示す実施形態において、コンピュータ入力ペン１０は一般に、長手方向軸１４が中心に延びる円筒ハウジング１２を備える。簡潔に言えば、本発明の実施形態は、コンピュータ入力ペン１０の転がりを抑えるか、または、実質的に防止し、一方で、その円筒形状に基づいて、電子装置の収納エリアまたは区画内でのコンピュータ入力ペン１０の都合のよい収納を可能にする。
【０００９】
図２Ａ〜図２Ｄは、図１のライン２−２に沿って切り取ったコンピュータ入力ペン１０の実施形態を示す断面図である。図２Ａ〜図２Ｄを参照すると、コンピュータ入力ペン１０は、コンピュータ入力ペン１０の軸１４に対して偏心して配設された錘２０を備える。錘２０は、錘２０の重心が、コンピュータ入力ペン１０の軸１４から外れているような任意のタイプの幾何学的構成を備える。簡潔に言えば、錘２０とペン１０の対応する部分の間で所望のまたは所定のレベルの摩擦を有する錘２０を、ペン１０のハウジング１２内に可動に配設して、錘２０とペン１０の対応する部分との間の運動から生ずるエネルギーを吸収するか、または、その他の方法で消散させることによって、ペン１０の転がりを抑える、または、実質的に防止する。
【００１０】
図２Ａ〜図２Ｄに示す実施形態において、錘２０は、軸１４に略一致して配設された軸２２に回転可能に連結される。しかしながら、錘２０は、錘２０のハウジング１２に対する運動を可能にするように、他の方法でハウジング１２内で連結されるか、または配設されてもよいことが理解されるべきである。図２Ａおよび図２Ｂに示す実施形態において、軸２２と錘２０の間に所望の、または所定のレベルの摩擦を与えて、錘２０の軸２２に対する回転運動から生ずる錘２０と軸２２との間の回転エネルギーを吸収するか、または、消散させる。たとえば、図２Ａに示す実施形態において、摩擦部材３０が錘２０の対応する面に面するか、またはその他の方法で係合する軸２２の表面上に配設され、錘２０と軸２２との間の回転エネルギーが摩擦部材３０によって吸収されるようにし、それによって、コンピュータ入力ペン１０の転がりが抑えられるか、または実質的に防止される。摩擦部材３０は、限定はしないが、ペン１０の所望の部品のやすり状表面、またはギザギザの表面などの、ペン１０の部品の一体に形成された摩擦面である。摩擦部材３０はまた、限定はしないが、ペン１０の所望の部品に粘着的に固定された摩擦材料などの、ペン１０の所望の部品に接着されるか、またはその他の方法で固着された個別の部材を含む。
【００１１】
図２Ｂに示す実施形態では、摩擦部材が軸２２の対応する面に面するか、または、その他の方法で係合する錘２０の表面上に配設されて、錘２０と軸２２との間の回転エネルギーが吸収される。図２Ａおよび図２Ｂに示す実施形態において、摩擦部材３０は、軸２２か、錘２０のいずれかに配設される。しかしながら、摩擦部材３０はまた、軸２２と錘２０の両方に配設されてもよいことが理解されるべきである。こうして、動作時、摩擦部材３０は、錘２０と軸２２の対応する運動面間に所望のレベルの摩擦を与え、それによって、ペン１０の任意の転がり運動から生ずる錘２０と軸２２との間の回転エネルギーが、摩擦部材３０によって吸収される。
【００１２】
図２Ｃに示す実施形態において、摩擦部材３０は、ハウジング１２の内面４０に面するか、またはその他の方法で係合する錘２０の表面に沿って配設される。たとえば、図２Ｃに示す実施形態において、錘２０がハウジング１２内でハウジング１２の内面４０に対して回転する時に、錘２０のハウジング１２に対する回転エネルギーが摩擦部材３０によって吸収される。別法として、または、付加的に、摩擦部材３０はまた、図２Ｄの実施形態に示すように、ハウジング１２の内面４０上に配設することができる。こうして、図２Ｃおよび図２Ｄに示す実施形態において、摩擦部材３０が錘２０の係合面および／またはハウジング１２の内面４０上に配設されて、ペン１０の任意の転がり運動から生ずる、錘２０とハウジング１２の内面４０との間の回転エネルギーを吸収する。先に述べたように、摩擦部材３０は錘２０および／またはハウジング１２の内面４０上に一体に形成することができる。摩擦部材３０はまた、錘２０の表面および／またはハウジング１２の内面４０に固着されるか、またはその他の方法で結合された個別の部材を含むことができる。さらに、摩擦部材３０は、錘２０の表面、軸２２の表面、および／または、ハウジング１２の内面４０、あるいは、それらの任意の組み合わせ上に配設することが理解されるべきである。摩擦部材３０は、錘２０の他の表面、および／または、錘２０に接触するかその他の方法で係合するペン１０の他の表面上に配設されて、錘２０のペン１０の別の表面に対する運動から生ずるエネルギーを吸収するか、またはその他の方法で消散することができることも理解されるべきである。
【００１３】
図３Ａおよび図３Ｂに示す実施形態において、錘５０は、錘５０の重心が、軸１４から外れるように、ハウジング１２内で可動に配設される。図３Ａに示す実施形態において、摩擦部材３０はハウジング１２の内面４０に面するか、または、その他の方法で係合する錘５０の表面上に配設されて、ペン１０の任意の転がりから生ずる錘５０とハウジング１２の内面４０との間の回転エネルギーを吸収する。付加的に、または、代替的に、摩擦部材３０は、図３Ｂの実施形態で最もよく示されるように、ハウジング１２の内面４０上に配設することができる。図３Ａおよび図３Ｂに示す実施形態において、ペン１０の軸１４に対して外れた重心を与え、一方で、ペン１０の転がり運動から生ずるエネルギーの消散を錘５０に対して可能にするような幾何学的形状を有する錘５０が形成されるのが好ましい。たとえば、図３Ａおよび図３Ｂに示す実施形態において、弧状に形成された周縁面６０を有する錘５０が形成されて、面６０の任意の面とハウジング１２の内面４０との係合が可能になる。しかしながら、他の幾何学的構成の錘５０を用いることができることが理解されるべきである。
【００１４】
こうして、動作時、コンピュータ入力ペン１０が特定の作業面上でころがる場合、錘２０、５０とコンピュータ入力ペン１０の対応する部分との間の回転エネルギーが、摩擦部材３０によって吸収されるか、またはその他の方法で消散させられるように、所望のレベルの摩擦が錘２０、５０に対して与えられ、それによって、コンピュータ入力ペン１０の連続した転がりが抑制されるか、または実質的に防止される。
【図面の簡単な説明】
【００１５】
【図１】本発明によるコンピュータ入力ペンの一実施形態を示す図である。
【図２Ａ】図１のライン２−２に沿って切り取った図１のコンピュータ入力ペンの実施形態を示す断面図である。
【図２Ｂ】図１のライン２−２に沿って切り取った図１のコンピュータ入力ペンの実施形態を示す断面図である。
【図２Ｃ】図１のライン２−２に沿って切り取った図１のコンピュータ入力ペンの実施形態を示す断面図である。
【図２Ｄ】図１のライン２−２に沿って切り取った図１のコンピュータ入力ペンの実施形態を示す断面図である。
【図３Ａ】図１のライン３−３に沿って切り取った図１のコンピュータ入力ペンのさらなる実施形態を示す断面図である。
【図３Ｂ】図１のライン３−３に沿って切り取った図１のコンピュータ入力ペンのさらなる実施形態を示す断面図である。
【符号の説明】
【００１６】
１０    コンピュータ入力ペン
１２    円筒ハウジング
１４    長手方向軸
２０    錘
２２    軸
３０    摩擦部材
【図１】
2005293571.tif 000003
【図２Ａ】
2005293571.tif 000004
【図２Ｂ】
2005293571.tif 000005
【図２Ｃ】
2005293571.tif 000006
【図２Ｄ】
2005293571.tif 000007
【図３Ａ】
2005293571.tif 000008
【図３Ｂ】
2005293571.tif 000009